(57)【要約】【課題】互いに異なる周波数帯域の複数の無線信号を同時に送信する無線回路において、使用者の持ち方や伝搬路の変化等に起因する通信特性の劣化を抑制する。【解決手段】無線回路（１）は、各アンテナ（６０ａおよび６０ｂ）を介してなされる無線通信の品質を検出し、当該品質が向上するように、各アンテナ（６０ａおよび６０ｂ）と各パワーアンプ（２０ａおよび２０ｂ）との接続関係を制御する。【選択図】図１
2015139005.tif 000002
【特許請求の範囲】
【請求項１】
互いに異なる周波数帯域の複数の無線信号を同時に送信する無線回路であって、
複数のアンテナと、
複数の送信信号増幅器と、
各アンテナと各送信信号増幅器とを一対一の関係で接続する接続回路と、
複数の無線信号を同時に変調する、上記複数の送信信号増幅器に接続された変調処理部と、
各アンテナを介してなされる無線通信の品質を検出する品質検出手段と、
該品質検出手段が検出する該品質が向上するように、該接続回路による各アンテナと各送信信号増幅器との接続関係を制御する接続制御手段と、を備えていることを特徴とする無線回路。
【請求項２】
上記接続回路は、上記アンテナと上記送信信号増幅器との接続経路を構成する複数の回路要素を備えており、
上記接続制御手段は、該複数の回路要素の何れに対しても、複数の上記送信信号増幅器から出力された送信信号が同時に供給されないように、上記接続関係を制御することを特徴とする請求項１に記載の無線回路。
【請求項３】
上記複数の回路要素は、
上記複数の送信信号増幅器の各々に個別に接続されているとともに、上記複数のアンテナの各々に接続するための経路の何れかに選択的に接続する複数のスイッチ
を含んでおり、
上記接続制御手段は、上記複数のアンテナの各々に接続するための経路の何れかに、複数の上記送信信号増幅器が接続されないように、上記複数のスイッチを制御することを特徴とする請求項２に記載の無線回路。
【請求項４】
上記接続制御手段は、上記品質検出手段が検出する、予め定められた優先すべき周波数帯域における無線通信の品質が向上するように、上記接続回路による各アンテナと各送信信号増幅器との接続関係を制御することを特徴とする請求項１〜３の何れか一項に記載の無線回路。
【請求項５】
請求項１〜４の何れか一項に記載の無線回路を備えていることを特徴とする無線端末。
【発明の詳細な説明】
【技術分野】
【０００１】
本発明は、無線技術に関するものであり、特に、互いに異なる周波数帯域の複数の無線信号を同時に送信するための無線技術に関するものである。
【背景技術】
【０００２】
近年、互いに異なる周波数帯域の複数の無線信号を同時に送信するための無線技術が開発されている。例えば、ＬＴＥ−Ａｄｖａｎｃｅｄ規格では、通信の高速化のために、キャリアコンポーネント（ＣＣ）と呼ばれる信号を複数使用して通信を行うキャリアアグリゲーションが行われる（特許文献１、非特許文献１）。
【０００３】
図７は、上りリンクのキャリアアグリゲーションを行う無線回路の典型的な構成を示す図である（非特許文献１参照）。図７に示す無線回路１００では、互いに異なる周波数帯域の送信信号を行う送信回路およびアンテナが、それぞれ別系統で設けられている（すなわち、変復調処理部１１０から出力される二つの送信信号に対して、アンテナ１６０ａ、デュプレクサ１３０ａおよびパワーアンプ１２０ａからなる系、ならびに、アンテナ１６０ｂ、デュプレクサ１３０ｂおよびパワーアンプ１２０ｂからなる系がそれぞれ独立に設けられている）。
【先行技術文献】
【特許文献】
【０００４】
【特許文献１】特開２０１２−２２２４６８号公報（２０１２年１１月１２日公開）
【非特許文献】
【０００５】
【非特許文献１】３ＧＰＰ  ＴＲ  ３６．８１５  ｖ９．１．０  Ｔｅｃｈｎｉｃａｌ  Ｒｅｐｏｒｔ
【発明の概要】
【発明が解決しようとする課題】
【０００６】
しかしながら、図７に示す無線回路１００を備えた無線端末は、使用者の持ち方や伝搬路の変化等に起因して、通信特性の劣化が生じる場合がある。
【０００７】
本発明は、上記問題に鑑みてなされたものであり、互いに異なる周波数帯域の複数の無線信号を同時に送信する無線回路において、使用者の持ち方や伝搬路の変化等に起因する通信特性の劣化を抑制するための技術を提供することを主たる目的とする。
【課題を解決するための手段】
【０００８】
上記の課題を解決するために、本発明の一態様に係る無線回路は、互いに異なる周波数帯域の複数の無線信号を同時に送信する無線回路であって、複数のアンテナと、複数の送信信号増幅器と、各アンテナと各送信信号増幅器とを一対一の関係で接続する接続回路と、複数の無線信号を同時に変調する、上記複数の送信信号増幅器に接続された変調処理部と、各アンテナを介してなされる無線通信の品質を検出する品質検出手段と、該品質検出手段が検出する該品質が向上するように、該接続回路による各アンテナと各送信信号増幅器との接続関係を制御する接続制御手段と、を備えている。
【発明の効果】
【０００９】
本発明の一態様によれば、互いに異なる周波数帯域の複数の無線信号を同時に送信する無線回路において、使用者の持ち方や伝搬路の変化等に起因する通信特性の劣化を抑制することができる。
【図面の簡単な説明】
【００１０】
【図１】本発明の一実施形態に係る無線回路の概略構成を示す図である。
【図２】本発明の一実施形態におけるネットワークシステムの概略構成を示す図である。
【図３】本発明の他の実施形態に係る無線回路の概略構成を示す図である。
【図４】本発明のさらに他の実施形態に係る無線回路の概略構成を示す図である。
【図５】本発明の一実施形態における処理の流れの一例を示すフローチャートである。
【図６】本発明の一実施形態における処理の流れの他の例を示すフローチャートである。
【図７】従来技術に係る無線回路の概略構成を示す図である。
【発明を実施するための形態】
【００１１】
〔実施形態１〕
本発明の一実施形態（実施形態１）について、図１、２、５、６に基づいて説明すれば、以下のとおりである。
【００１２】
（無線回路）
図１は、実施形態１に係る無線回路１の構成を示す概略図である。なお、電力供給回路、整合回路等は省略している。無線回路１は、ＬＴＥ  Ａｄｖａｎｃｅｄに対応し、上りリンクでのキャリアアグリゲーションを行うため、互いに異なる周波数帯域の複数の無線信号を同時に送信することが可能な無線回路である。但し、本発明はＬＴＥ  Ａｄｖａｎｃｅｄに対応する無線回路に限定されず、互いに異なる周波数帯域の複数の無線信号を同時に送信することが可能な無線回路全般に適用することができる。
【００１３】
図１に示すように、無線回路１は、変復調処理部（変調処理部）１０と、品質検出部（品質検出手段）１１と、切換制御部（接続制御手段）１２と、パワーアンプ（送信信号増幅器）２０ａおよび２０ｂと、デュプレクサ（回路要素、分波器）３０ａおよび３０ｂと、スイッチ（回路要素）４０ａおよび４０ｂと、ダイプレクサ（回路要素、分波器）５０ａおよび５０ｂと、アンテナ６０ａおよび６０ｂと、を備えており、ＦＤＤ（Frequency Division Duplex）通信を行うようになっている。
【００１４】
なお、デュプレクサ３０ａおよび３０ｂと、スイッチ４０ａおよび４０ｂと、ダイプレクサ５０ａおよび５０ｂとが構成する、アンテナ６０ａおよび６０ｂとパワーアンプ２０ａおよび２０ｂとを接続するための回路部分を、接続回路１３と称することもある。接続回路１３は、アンテナ６０ａおよび６０ｂとパワーアンプ２０ａおよび２０ｂとを一対一の関係で接続する。また、接続回路１３におけるアンテナ６０ａおよび６０ｂとパワーアンプ２０ａおよび２０ｂと接続経路を構成するデバイス（デュプレクサ３０ａおよび３０ｂ、スイッチ４０ａおよび４０ｂ、ならびにダイプレクサ５０ａおよび５０ｂ）を回路要素と称することもある。
【００１５】
変復調処理部１０は、複数の無線信号を同時に変復調する。すなわち、変復調処理部１０は、同時に複数の送信信号の変調および同時に複数の受信信号の復調を行う。変復調処理部１０は、変調した送信信号をパワーアンプ２０ａおよび２０ｂに出力するとともに、デュプレクサ３０ａおよび３０ｂから入力された受信信号を復調する。なお、パワーアンプ２０ａおよび２０ｂに出力する送信信号の周波数帯域は、互いに異なるものとすることができる。
【００１６】
品質検出部１１は、変復調処理部１０に入力された受信信号に基づいて、アンテナ６０ａおよび６０ｂを介してなされる無線通信の品質を検出する。その検出方法の詳細については後述する。
【００１７】
切換制御部１２は、接続回路１３によるアンテナ６０ａおよび６０ｂとパワーアンプ２０ａおよび２０ｂとの接続関係を制御する。その制御方法の詳細については後述する。
【００１８】
パワーアンプ２０ａは、変復調処理部１０から出力された送信信号を増幅して接続回路１３（のデュプレクサ３０ａ）に出力する。パワーアンプ２０ｂは、変復調処理部１０から出力された送信信号を増幅して接続回路１３（のデュプレクサ３０ｂ）に出力する。
【００１９】
（接続回路）
デュプレクサ３０ａは、パワーアンプ２０ａから入力された送信信号をスイッチ４０ａに出力するとともに、スイッチ４０ａから入力された受信信号を変復調処理部１０に出力する。デュプレクサ３０ｂは、パワーアンプ２０ｂから入力された送信信号をスイッチ４０ｂに出力するとともに、スイッチ４０ｂから入力された受信信号を変復調処理部１０に出力する。
【００２０】
スイッチ４０ａは、デュプレクサ３０ａから入力された送信信号を、ダイプレクサ５０ａまたは５０ｂの何れかに選択的に出力するとともに、ダイプレクサ５０ａまたは５０ｂから入力された受信信号をデュプレクサ３０ａに出力する。スイッチ４０ｂは、デュプレクサ３０ｂから入力された送信信号を、ダイプレクサ５０ａまたは５０ｂの何れかに選択的に出力するとともに、ダイプレクサ５０ａまたは５０ｂから入力された受信信号をデュプレクサ３０ｂに出力する。
【００２１】
ダイプレクサ５０ａは、スイッチ４０ａまたはスイッチ４０ｂから入力された送信信号をアンテナ６０ａに出力するとともに、アンテナ６０ａから入力された受信信号をスイッチ４０ａまたはスイッチ４０ｂに出力する。ダイプレクサ５０ｂは、スイッチ４０ａまたはスイッチ４０ｂから入力された送信信号をアンテナ６０ｂに出力するとともに、アンテナ６０ｂから入力された受信信号をスイッチ４０ａまたはスイッチ４０ｂに出力する。
【００２２】
接続回路１３は、パワーアンプ２０ａおよび２０ｂの各々に個別に接続されているとともに、アンテナ６０ａおよび６０ｂの各々に接続するための経路の何れかに選択的に接続するスイッチ４０ａおよび４０ｂを備えている。従って、切換制御部１２が、アンテナ６０ａおよび６０ｂの各々に接続するための経路の何れかに、複数のパワーアンプが接続されないように、スイッチ４０ａおよび４０ｂを制御することにより、回路要素の何れに対しても、複数の送信信号が同時に供給されないようにして、相互変調歪みによる送信信号特性の劣化を抑制することができる（例えば、図１に示すように、一方の送信信号は、９０ａ〜９１ａで示す経路を通り、他方の送信信号は、９０ｂ〜９１ｂで示す経路を通るようにすればよい）。
【００２３】
（処理の流れの一例）
図５は、実施形態１における処理の流れの一例を示すフローチャートである。まず、無線回路１が、例えば、上りリンクでのキャリアアグリゲーションのような上りリンク同時送信（言い換えれば、互いに異なる周波数帯域の複数の無線信号の同時送信）を開始する（ステップＳ１）。このとき、パワーアンプ２０ａおよび２０ｂから出力される送信信号の周波数帯域は互いに異なるものとなる。
【００２４】
続いて、切換制御部１２が、各アンテナと送信信号の各周波数帯域との組合せ（言い換えれば、アンテナ６０ａおよび６０ｂとパワーアンプ２０ａおよび２０ｂとの接続関係）を変化させるとともに、品質検出部１１が各アンテナを介した無線通信の品質（通信品質）を計算する（ステップＳ２）。
【００２５】
切換制御部１２は、アンテナ６０ａおよび６０ｂとパワーアンプ２０ａおよび２０ｂとの接続関係を制御し、各アンテナと送信信号の各周波数帯域（各パワーアンプ）との間の全ての組み合わせ（具体的には、（ｉ）アンテナ６０ａとパワーアンプ２０ａとが接続され、アンテナ６０ｂとパワーアンプ２０ｂとが接続された組み合わせ、および、（ｉｉ）アンテナ６０ａとパワーアンプ２０ｂが接続され、アンテナ６０ｂとパワーアンプ２０ａとが接続された組み合わせ）を順に切り換える。
【００２６】
そして、品質検出部１１が、個々の組み合わせにおけるトータルの通信品質（例えば、全ての受信信号の受信電力の合計）を計算する。品質検出部１１が通信品質を計算する方法は特に限定されず、各種公知の方法を適宜用いればよいが、例えば、品質検出部１１は、変復調処理部１０に入力された受信信号の受信電力を測定し、測定した受信電力を通信品質としてもよい。その場合、変復調処理部１０から品質検出部１１に受信信号の少なくとも一部が出力され、品質検出部１１は、入力された受信信号の受信電力を測定して、通信品質を計算すればよい。また、他の方法として、各アンテナを介して送信した送信信号を受信した基地局が、当該送信信号の品質（例えば、送信電力）を検出し、検出した送信信号の品質を示す送信信号品質情報を、無線回路１を備える無線端末８０にフィードバック（送信）する構成としてもよい。その場合、品質検出部１１は、変復調処理部１０において復調された受信信号から、上記送信信号品質情報を抽出して通信品質を計算すればよい。
【００２７】
続いて、切換制御部１２は、ステップＳ２において、品質検出部１１が計算した個々の組み合わせにおけるトータルの通信品質を比較し、最もトータルの通信品質が高くなる（例えば、全ての受信信号の受信電力の合計が最大となる）組み合わせを決定する（ステップＳ３）。
【００２８】
そして、切換制御部１２は、その時に使用している各アンテナと送信信号の各周波数帯域との組み合わせが、ステップＳ３において決定した最もトータルの通信品質が高くなる組み合わせと異なっている場合、各アンテナと送信信号の各周波数帯域との組み合わせが、ステップＳ３において決定した最もトータルの通信品質が高くなる組み合わせになるように、接続回路１３（のスイッチ４０ａおよび４０ｂ）を制御する（ステップＳ４）。
【００２９】
そして、切換制御部１２は、通信が終了したか否かを判定し（ステップＳ５）、通信が終了した場合（ステップＳ５におけるＹＥＳ）には、処理を完了する。一方、通信が終了していなかった場合（ステップＳ５におけるＮＯ）には、切換制御部１２および品質検出部１１は、一定時間経過するまで待機した後（ステップＳ６）、ステップＳ２に戻り、各アンテナと送信信号の各周波数帯域との全ての組合せにおける通信品質を計算する。
【００３０】
以上のように、無線回路１は、通信品質を監視し、各アンテナと送信信号の各周波数帯域との組み合わせを、通信品質が向上するような組み合わせに切り換えることにより、使用者の持ち方や伝搬路の変化等に起因する通信特性の劣化を抑制することができる。
【００３１】
（処理の流れの他の例）
図６は、実施形態１における処理の流れの他の例を示すフローチャートである。まず、ステップＳ１と同様に、無線回路１が、上りリンク同時送信（言い換えれば、互いに異なる周波数帯域の複数の無線信号の同時送信）を開始する（ステップＳ１１）。このとき、パワーアンプ２０ａおよび２０ｂから出力される送信信号の周波数帯域は互いに異なるものとなる。
【００３２】
続いて、切換制御部１２が、優先する周波数帯域を決定する（ステップＳ１２）。
【００３３】
続いて、切換制御部１２が、各アンテナと優先する周波数帯域との組合せ（言い換えれば、アンテナ６０ａおよび６０ｂと、パワーアンプ２０ａおよび２０ｂのうち、優先する周波数帯域の送信信号を増幅するパワーアンプ（以降、優先パワーアンプと記載する）との接続関係）を変化させるとともに、品質検出部１１が各アンテナを介した無線通信の品質（通信品質）を計算する（ステップＳ１３）。
【００３４】
切換制御部１２は、アンテナ６０ａおよび６０ｂと優先パワーアンプとの接続関係を制御し、各アンテナと優先パワーアンプとの間の全ての組み合わせ（具体的には、（ｉ）アンテナ６０ａと優先パワーアンプとが接続され、アンテナ６０ｂと優先パワーアンプでないパワーアンプとが接続された組み合わせ、および、（ｉｉ）アンテナ６０ａと優先パワーアンプでないパワーアンプが接続され、アンテナ６０ｂと優先パワーアンプとが接続された組み合わせ）を順に切り換える。
【００３５】
そして、品質検出部１１が、個々の組み合わせにおける優先する周波数帯域の無線通信の品質（例えば、優先する周波数帯域の受信電力、または、基地局からフィードバックされた優先する周波数帯域の送信信号の品質）を計算する。
【００３６】
続いて、切換制御部１２は、ステップＳ１３において、品質検出部１１が計算した個々の組み合わせにおける優先する周波数帯域の通信品質を比較し、最も、優先する周波数帯域の通信品質が高くなる（例えば、優先する周波数帯域の受信信号の受信電力が最大となる）組み合わせを決定する（ステップＳ１４）。
【００３７】
そして、切換制御部１２は、その時に使用している各アンテナと送信信号の各周波数帯域との組み合わせが、ステップＳ１４において決定した最も、優先する周波数帯域の通信品質が高くなる組み合わせと異なっている場合、各アンテナと送信信号の各周波数帯域との組み合わせが、ステップＳ１４において決定した最も、優先する周波数帯域の通信品質が高くなる組み合わせになるように、接続回路１３（のスイッチ４０ａおよび４０ｂ）を制御する（ステップＳ１５）。
【００３８】
そして、切換制御部１２は、通信が終了したか否かを判定し（ステップＳ１６）、通信が終了した場合（ステップＳ１６におけるＹＥＳ）には、処理を完了する。一方、通信が終了していなかった場合（ステップＳ１６におけるＮＯ）には、切換制御部１２および品質検出部１１は、一定時間経過するまで待機した後（ステップＳ１７）、ステップＳ２に戻り、各アンテナと送信信号の各周波数帯域との全ての組合せにおける通信品質を計算する。
【００３９】
以上のように、無線回路１は、通信品質を監視し、各アンテナと送信信号の各周波数帯域との組み合わせを、予め定められた優先すべき周波数帯域における通信品質が向上するような組み合わせに切り換えることにより、使用者の持ち方や伝搬路の変化等に起因する通信特性の劣化を抑制することができる。特に、重要な通信を行う周波数での通信を、良好な通信特性で行うことができる。
【００４０】
（無線端末）
図２は、本発明の一実施形態におけるネットワークシステムの概略構成を示す図である。図２に示すように、本ネットワークは、マクロセル７０ａおよびスモールセル７０ｂから構成される、いわゆるＨｅｔＮｅｔ（ヘテロジーニアスネットワーク）である。基地局７１ａは、マクロセル７０ａの基地局であり、基地局７１ｂは、スモールセル７０ｂの基地局である。無線端末８０は、無線回路１を備えており、基地局７１ａと周波数１で、基地局７１ｂと周波数１とは異なる周波数２で、同時に通信することができる。
【００４１】
なお、無線端末８０が備える無線回路１には、これに限定されるものではないが、上述したように、優先する周波数帯域が設定されていてもよい。この時、優先する周波数帯域を、周波数１とするか、周波数２とするかは設計方針に応じて、適宜決定すればよい。例えば、一般的に、無線端末８０は、スモールセル７０ｂの基地局７１ｂとの間で多くのデータを通信する（ロードオフ）すること考えられるため、周波数２を優先する周波数帯域に設定してもよい。また、無線端（無線端末）末８０は、マクロセル７０ａの基地局７１ａとの間で、制御情報（Ｃ−Ｐｌａｎｅデータ）をやりとりするため、無線端末８０が基地局７１ａとの間で確実に通信を行えるように、周波数１を優先する周波数帯域に設定してもよい。
【００４２】
〔実施形態２〕
本発明の他の実施形態（実施形態２）について、図３に基づいて説明すれば、以下のとおりである。なお、説明の便宜上、前記実施形態にて説明した部材と同じ機能を有する部材については、同じ符号を付記し、その説明を省略する。
【００４３】
図３は、実施形態２に係る無線回路２の構成を示す概略図である。図３に示すように、無線回路２は、接続回路１３の替わりに接続回路１４が設けられている。これにより、無線回路２は、一つの周波数帯域につき、２系統の受信系で受信することができる。これにより、例えば、ダウンリンクＭＩＭＯに対応することができる。
【００４４】
接続回路１４は、デュプレクサ３０ａおよび３０ｂとフィルタ３１ａおよび３１ｂとダイプレクサ５０ａおよび５０ｂとスイッチ４０ａおよび４０ｂとスイッチ４１ａおよび４１ｂとを備えている。
【００４５】
デュプレクサ３０ａは、パワーアンプ２０ａから入力された送信信号を、ダイプレクサ５０ａに出力するとともに、ダイプレクサ５０ａから入力された受信信号を変復調処理部１０に出力する。デュプレクサ３０ｂは、パワーアンプ２０ｂから入力された送信信号をダイプレクサ５０ｂに出力するとともに、ダイプレクサ５０ｂから入力された受信信号を変復調処理部１０に出力する。
【００４６】
フィルタ３１ａは、ダイプレクサ５０ａから入力された受信信号を、変復調処理部１０に出力する。フィルタ３１ｂは、ダイプレクサ５０ｂから入力された受信信号を、変復調処理部１０に出力する。
【００４７】
ダイプレクサ５０ａは、デュプレクサ３０ａから入力された送信信号を、スイッチ４０ａに出力するとともに、スイッチ４０ａから入力された受信信号を、デュプレクサ３０ａまたはフィルタ３１ａの何れかに出力する。ダイプレクサ５０ｂは、デュプレクサ３０ｂから入力された送信信号を、スイッチ４０ｂに出力するとともに、スイッチ４０ｂから入力された受信信号を、デュプレクサ３０ｂまたはフィルタ３１ｂの何れかに出力する。
【００４８】
スイッチ４０ａは、ダイプレクサ５０ａから入力された送信信号を、スイッチ４１ａまたは４１ｂの何れかに選択的に出力するとともに、スイッチ４１ａまたは４１ｂから入力された受信信号を、ダイプレクサ５０ａに出力する。スイッチ４０ｂは、ダイプレクサ５０ｂから入力された送信信号を、スイッチ４１ａまたは４１ｂの何れかに選択的に出力するとともに、スイッチ４１ａまたは４１ｂから入力された受信信号を、ダイプレクサ５０ｂに出力する。
【００４９】
スイッチ４１ａは、スイッチ４０ａまたは４０ｂから入力された送信信号を、アンテナ６０ａに送信するとともに、アンテナ６０ａから入力された受信信号を、スイッチ４０ａまたは４０ｂの何れかに選択的に出力する。スイッチ４１ｂは、スイッチ４０ａまたは４０ｂから入力された送信信号を、アンテナ６０ｂに送信するとともに、アンテナ６０ｂから入力された受信信号を、スイッチ４０ａまたは４０ｂの何れかに選択的に出力する。
【００５０】
接続回路１４は、パワーアンプ２０ａおよび２０ｂの各々に個別に接続されているとともに、アンテナ６０ａおよび６０ｂの各々に接続するための経路の何れかに選択的に接続するスイッチ４０ａおよび４０ｂを備えている。従って、切換制御部１２が、アンテナ６０ａおよび６０ｂの各々に接続するための経路の何れかに、複数のパワーアンプが接続されないように、スイッチ４０ａおよび４０ｂを制御することにより、回路要素の何れに対しても、複数の送信信号が同時に供給されないようにして、相互変調歪みによる送信信号特性の劣化を抑制することができる（例えば、図３に示すように、一方の送信信号は、９０ａ〜９１ａ〜９２ａで示す経路を通り、他方の送信信号は、９０ｂ〜９１ｂ〜９２ｂで示す経路を通るようにすればよい）。
【００５１】
また、実施形態１と同様、切換制御部１２が、品質検出部１１が検出する通信品質が向上するように、接続回路１３による各アンテナと各パワーアンプとの接続関係を制御することにより、使用者の持ち方や伝搬路の変化等に起因する通信特性の劣化を抑制することができる。
【００５２】
また、実施形態１において、品質検出部１１が各アンテナからの受信信号の受信電力を測定する際に（図５におけるステップＳ２）、切換制御部１２は各アンテナと各パワーアンプとの接続関係を制御する必要があった。しかしながら、本実施の形態では、一つの周波数帯域につき、２系統の受信系で受信することができるため、切換制御部１２が各アンテナと各パワーアンプとの接続関係を制御することなく、品質検出部１１は各アンテナからの受信信号の受信電力を測定することができる。
【００５３】
〔実施形態３〕
本発明のさらに他の実施形態（実施形態３）について、図４に基づいて説明すれば、以下のとおりである。なお、説明の便宜上、前記実施形態にて説明した部材と同じ機能を有する部材については、同じ符号を付記し、その説明を省略する。
【００５４】
図４は、本発明の実施形態３に係る無線回路の構成を示す概略図である。図４に示すように、無線回路３は、接続回路１４の替わりに接続回路１５が設けられている。これにより、無線回路３は、ＦＤＤ通信ではなく、ＴＤＤ（Time Division Duplex）通信を行うようになっている。
【００５５】
接続回路１５は、スイッチ４２ａおよび４２ｂとダイプレクサ５０ａおよび５０ｂとを備えている。スイッチ４２ａは、パワーアンプ２０ａから入力された送信信号を、ダイプレクサ５０ａまたは５０ｂの何れかに選択的に出力するとともに、ダイプレクサ５０ａまたは５０ｂから入力された受信信号を、変復調処理部１０に出力する。スイッチ４２ｂは、パワーアンプ２０ｂから入力された送信信号を、ダイプレクサ５０ａまたは５０ｂの何れかに選択的に出力するとともに、ダイプレクサ５０ａまたは５０ｂから入力された受信信号を、変復調処理部１０に出力する。
【００５６】
接続回路１５は、パワーアンプ２０ａおよび２０ｂの各々に個別に接続されているとともに、アンテナ６０ａおよび６０ｂの各々に接続するための経路の何れかに選択的に接続するスイッチ４２ａおよび４２ｂを備えている。従って、切換制御部１２が、アンテナ６０ａおよび６０ｂの各々に接続するための経路の何れかに、複数のパワーアンプが接続されないように、スイッチ４２ａおよび４２ｂを制御することにより、回路要素の何れに対しても、複数の送信信号が同時に供給されないようにして、相互変調歪みによる送信信号特性の劣化を抑制することができる（例えば、図４に示すように、一方の送信信号は、９０ａ〜９１ａで示す経路を通り、他方の送信信号は、９０ｂ〜９１ｂで示す経路を通るようにすればよい）。
【００５７】
また、実施形態１と同様、切換制御部１２が、品質検出部１１が検出する通信品質が向上するように、接続回路１３による各アンテナと各パワーアンプとの接続関係を制御することにより、用者の持ち方や伝搬路の変化等に起因する通信特性の劣化を抑制することができる。
【００５８】
〔ソフトウェアによる実現例〕
無線回路１〜３の制御ブロック（特に変復調処理部１０、品質検出部１１、および切換制御部１２）は、集積回路（ＩＣチップ）等に形成された論理回路（ハードウェア）によって実現してもよいし、ＣＰＵ（Central Processing Unit）を用いてソフトウェアによって実現してもよい。
【００５９】
後者の場合、無線回路１〜３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６０】
〔まとめ〕
本発明の態様１に係る無線回路（１〜３）は、互いに異なる周波数帯域の複数の無線信号を同時に送信する無線回路であって、複数のアンテナ（６０ａおよび６０ｂ）と、複数の送信信号増幅器（パワーアンプ２０ａおよび２０ｂ）と、各アンテナと各送信信号増幅器とを一対一の関係で接続する接続回路（１４）と、複数の無線信号を同時に変調する、上記複数の送信信号増幅器に接続された変調処理部（変復調処理部１０）と、各アンテナを介してなされる無線通信の品質を検出する品質検出手段（品質検出部１１）と、該品質検出手段が検出する該品質が向上するように、該接続回路による各アンテナと各送信信号増幅器との接続関係を制御する接続制御手段（切換制御部１２）と、を備えている。
【００６１】
上記の構成によれば、各アンテナと送信信号の各周波数帯域（送信信号増幅器）との組み合わせを、通信品質が向上するような組み合わせに切り換えることにより、使用者の持ち方や伝搬路の変化等に起因する通信特性の劣化を抑制することができる。
【００６２】
本発明の態様２に係る無線回路は、上記態様１において、上記アンテナと上記送信信号増幅器との接続経路を構成する複数の回路要素を備えており、上記接続制御手段は、該複数の回路要素の何れに対しても、複数の上記送信信号増幅器から出力された送信信号が同時に供給されないように、上記接続関係を制御してもよい。
【００６３】
上記の構成によれば、複数の回路要素のそれぞれに対して複数の送信信号が同時に通過しないように制御することにより、相互変調歪みによる送信信号の特性劣化を防ぐことができる。
【００６４】
本発明の態様３に係る無線回路では、上記態様２において、上記複数の回路要素は、上記複数の送信信号増幅器の各々に個別に接続されているとともに、上記複数のアンテナの各々に接続するための経路の何れかに選択的に接続する複数のスイッチ（４０ａ、４０ｂ、４１ａ、４１ｂ、４２ａ、および４２ｂ）を含んでおり、上記接続制御手段は、上記複数のアンテナの各々に接続するための経路の何れかに、複数の上記送信信号増幅器が接続されないように、上記複数のスイッチを制御してもよい。
【００６５】
上記の構成によれば、無線回路は、上記スイッチを用いて、複数の回路要素のそれぞれに対して複数の送信信号が同時に通過しないように制御することができる。したがって、無線回路は、好適に相互変調歪みによる送信信号の特性劣化を防ぐことができる。
【００６６】
本発明の態様４に係る無線回路では、上記態様１〜３において、上記接続制御手段は、上記品質検出手段が検出する、予め定められた優先すべき周波数帯域における無線通信の品質が向上するように、上記接続回路による各アンテナと各送信信号増幅器との接続関係を制御してもよい。
【００６７】
上記の構成によれば、無線回路は、特定の周波数帯域の通信特性が向上するアンテナと送信信号増幅器とを用いて無線通信する。したがって、無線回路は、例えば、重要な通信は良好な通信特性で行うといった、利用状況に適した無線通信をすることができる。
【００６８】
本発明の態様５に係る無線端末では、上記態様１〜４における無線回路を備えている。
【００６９】
上記の構成によれば、上記態様１〜４と同等の効果を奏する。
【００７０】
本発明の各態様に係る無線回路は、コンピュータによって実現してもよく、この場合には、コンピュータを上記無線回路が備える各手段として動作させることにより上記無線回路をコンピュータにて実現させる無線回路の制御プログラム、およびそれを記録したコンピュータ読み取り可能な記録媒体も、本発明の範疇に入る。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７２】
本発明は、無線端末の製造分野において利用することができる。
【符号の説明】
【００７３】
１〜３          無線回路
１０            変復調処理部（変調処理部）
１１            品質検出部（品質検出手段）
１２            切換制御部（接続制御手段）
１３〜１５      接続回路
２０ａ、２０ｂ  パワーアンプ（送信信号増幅器）
３０ａ、３０ｂ  デュプレクサ（回路要素、分波器）
３１ａ、３１ｂ  フィルタ（回路要素）
４０ａ、４０ｂ、４１ａ、４１ｂ、４２ａ、４２ｂ  スイッチ（回路要素）
５０ａ、５０ｂ  ダイプレクサ（回路要素、分波器）
６０ａ、６０ｂ  アンテナ
８０            無線端末
【図１】
2015139005.tif 000003
【図２】
2015139005.tif 000004
【図３】
2015139005.tif 000005
【図４】
2015139005.tif 000006
【図５】
2015139005.tif 000007
【図６】
2015139005.tif 000008
【図７】
2015139005.tif 000009